【手続補正書】
【提出日】平成19年4月3日(2007.4.3)
【手続補正１】
【補正対象書類名】明細書
【補正対象項目名】特許請求の範囲
【補正方法】変更
【補正の内容】
【特許請求の範囲】
【請求項１】
エネルギ消費波伝送ライン終端器であって、
ａ）  第１の主表面と第２の主表面とこれらの間に厚さとを有する概して電気的に絶縁性の基板と、
ｂ）  前記第１主表面上に形成し、第１の終端と第２の終端と有する第１の厚膜材料抵抗器と、
ｃ）  前記第２主表面上に形成し、前記第２主表面に隣接した第１の電極と前記第２主表面から遠位の第２電極とを有する第１の厚膜材料キャパシタと、
ｄ）  前記基板の厚さを貫通して延び、前記第１抵抗器を前記第１キャパシタに前記第１電極で接続する第１の電気的接続体と、および
ｅ）  前記第１厚膜キャパシタに隣接して配置し、かつ前記第２電極に電気的に接続した導電性取り付けと、
を含むエネルギ消費波伝送ライン終端器。
【請求項２】
請求項１記載の終端器であって、さらに、前記第１抵抗器を前記第２終端で前記基板を通して前記第２主表面に電気的に接続する、前記基板の厚さを貫通した第２の電気的接続を含むこと、を特徴とするエネルギ消費波伝送ライン終端器。
【請求項３】
請求項１記載の終端器であって、さらに、
前記第１抵抗器を含む厚膜材料抵抗器のアレイであって、該アレイの各抵抗器は、第１の終端と第２の終端とを有する、厚膜材料抵抗器のアレイと、
前記第１キャパシタを含む厚膜材料のキャパシタの第１のアレイであって、該第１アレイの各キャパシタは、前記第２主表面上に形成し、前記第２主表面に隣接したその第１の電極と、前記第２主表面に対し遠位の第２の電極とを有する、第１のキャパシタのアレイと、および
前記基板を貫通し、前記抵抗器アレイを前記第１終端において前記第１キャパシタ・アレイに電気的に接続する第１の電気的接続体のアレイと、
を含むこと、を特徴とするエネルギ消費波伝送ライン終端器。
【請求項４】
請求項３記載の終端器であって、さらに、前記基板を貫通し、前記抵抗器アレイを前記基板の前記第２主表面に接続する第２の電気的接続体のアレイを含むこと、を特徴とするエネルギ消費波伝送ライン終端器。
【請求項５】
請求項４記載の終端器であって、さらに、前記第２の電気的接続体のアレイにおける第２のキャパシタ・アレイを含むこと、を特徴とするエネルギ消費波伝送ライン終端器。
【請求項６】
請求項３記載の終端器であって、さらに、前記第１キャパシタ・アレイに取り付けた導電性の取り付け体を含むこと、を特徴とするエネルギ消費波伝送ライン終端器。
【請求項７】
請求項１記載の終端器であって、さらに、前記第１のキャパシタ電極と前記第２のキャパシタ電極との間にチタネート誘電体を含むこと、を特徴とするエネルギ消費波伝送ライン終端器。
【請求項８】
請求項１記載の終端器であって、さらに、前記第１のキャパシタ電極と前記第２のキャパシタ電極との間に酸化物誘電体を含むこと、を特徴とするエネルギ消費波伝送ライン終端器。
【請求項９】
請求項４記載の終端器であって、さらに、前記第２電気的接続体のアレイに電気的に接続しかつそれに物理的に隣接した導電性の取り付け体を含むこと、を特徴とするエネルギ消費波伝送ライン終端器。
【請求項１０】
請求項４記載の終端器において、前記第１の電気的接続体アレイおよび前記第２の電気的接続体アレイと、前記第１の抵抗器アレイと前記第１のキャパシタ・アレイとは、電気的に相互接続してａｃライン終端器として作用すること、を特徴とするエネルギ消費波伝送ライン終端器。
【請求項１１】
請求項４記載の終端器において、前記第１の電気的接続体アレイおよび前記第２の電気的接続体アレイと、前記第１の抵抗器アレイと前記第１のキャパシタ・アレイとは、電気的に相互接続してコンピュータ・バス終端器として作用すること、を特徴とするエネルギ消費波伝送ライン終端器。
【請求項１２】
ボールグリッドアレイ抵抗器キャパシタ・ネットワークであって、
ａ）  第１の表面と、第２の表面と、該第１の表面と該第２の表面との間に厚さを有する、電気的に絶縁性の基板と、
ｂ）  第１の電気的接続体と第２の電気的接続体とを有する、前記第１表面上の電気的に抵抗性のパターンであって、これにより、電気エネルギが、前記第１電気的接続体から、前記電気的に抵抗性のパターンを通して前記第２電気的接続体へ通過することができ、また、前記電気的エネルギの第１の部分がそれにおいて消費されるようになった、電気的に抵抗性のパターンと、
ｃ）  前記厚さを貫通し、前記第１の電気的接続体および前記第２の電気的接続体にそれぞれ接続した第１の電気的な導体および第２の電気的な導体と、
ｄ）  前記第２表面上に担持された第１の導電性の電極と第２の導電性の電極であって、これらの間に第１の誘電体材料を有し、これにより、これらの間に第１の測定可能の電気的キャパシタンスを有して、これにより第１のキャパシタを形成し、これにおいて、前記第１の導電性の電極と前記第２の導電性の電極との一方が前記第１電気的接続体に電気的に接続した、第１の導電性電極と第２の導電性電極と、および
ｅ）  前記第１の導電性電極と前記第２の導電性電極の内の第１のものに電気的かつ機械的に接続した第１の導電性ボールと、
を含むボールグリッドアレイ抵抗器キャパシタ・ネットワーク。
【請求項１３】
請求項１２記載のネットワークであって、さらに、
前記第２表面上に担持された第３の導電性および第４の導電性の電極であって、これらの間に第２の誘電体材料を有し、これにより、これらの間に第２の測定可能の電気的キャパシタンスを有して、これにより第２のキャパシタを形成し、これにおいて、前記第３の導電性の電極と前記第４の導電性の電極との一方が前記第２電気的接続体に電気的に接続した、第３の導電性電極および第４の導電性電極と、
前記第１の導電性電極と前記第２の導電性電極の内の前記第１のものとは異なった第２のものに電気的に接続した第２の導電性ボールと、
を含むこと、を特徴とするボールグリッドアレイ抵抗器キャパシタ・ネットワーク。
【請求項１４】
請求項１２記載のネットワークであって、さらに、前記第２電気的接続体に電気的に接続した第２の導電性ボールを含むこと、を特徴とするボールグリッドアレイ抵抗器キャパシタ・ネットワーク。
【請求項１５】
請求項１２記載のネットワークであって、さらに、
ａ）  前記第１表面上の追加の電気的に抵抗性のパターンであって、その各々が、２つの電気的接続体を有し、前記電気的に抵抗性のパターンの全てが、前記２つの電気的接続体の内の一方を、１つの共通の電気的導体を通して共有する、追加の電気的に抵抗性のパターンと、
ｂ）  前記電気的に抵抗性のパターンと追加の導電性ボールとに電気的に接続した、前記第２表面上の追加のキャパシタと、
を含み、
ｃ）  前記第１キャパシタと前記追加キャパシタとが、前記第１抵抗器と前記追加抵抗器を通過するＤＣ電流の流れをブロックする一方で、同時にＡＣ電流を通過させ、これにより、前記ボールグリッドアレイ抵抗器キャパシタ・ネットワークが、ＡＣ波伝送ラインを終端できるようにすること、
を特徴とするボールグリッドアレイ抵抗器キャパシタ・ネットワーク。
【請求項１６】
請求項１２記載のネットワークにおいて、前記電気的に抵抗性のパターンは、サーメット材料から成ること、を特徴とするボールグリッドアレイ抵抗器キャパシタ・ネットワーク。
【請求項１７】
基板と、これの上に支持されたキャパシタと抵抗器とを有する回路モジュールであって、その改良が、前記キャパシタと前記抵抗器とに取り付けかつ電気的に接続したボールグリッドアレイを含み、前記キャパシタが、前記ボールグリッドアレイに隣接し、前記抵抗器が、前記基板に対し前記キャパシタおよび前記ボールグリッドアレイの反対側にあること、を特徴とする回路モジュール。
【請求項１８】
請求項１７記載の回路モジュールにおいて、その改良がさらに、前記抵抗器のうちの選択したものを前記キャパシタのうちの選択したものに接続する電気的なビアを含むこと、を特徴とする回路モジュール。
【請求項１９】
請求項１８記載の回路モジュールにおいて、その改良がさらに、前記抵抗器のうちの選択したものを前記ボールグリッドアレイに直接に接続する電気的なビアを含むこと、を特徴とする回路モジュール。
【請求項２０】
請求項１７記載の回路モジュールにおいて、前記抵抗器は、厚膜抵抗器であること、を特徴とする回路モジュール。
【請求項２１】
請求項１７記載の回路モジュールにおいて、前記キャパシタは、厚膜キャパシタであること、を特徴とする回路モジュール。